(57)【特許請求の範囲】
【請求項１】
背面となる背部板を中央にして、表面となる表部板、裏面となる裏部板が両側に配されていると共に、背部板の両縁部に形成した折曲自在な折曲連繋部によって、背部板の幅員を隔てて二つ折り状に折り畳まれるようになっているバインダー本体と、二つ折り状にしたときの表部板、裏部板相互間を連結する表裏連結手段と、メニュー用紙を綴じ込み支持する綴込手段と、バインダー本体の外側面に配される背表紙を着脱・交換自在に収納する背表紙支持手段とを備えて成り、この背表紙支持手段は、表部板、裏部板の内側面の縁部に沿って所定間隔で配列された突起状の支持突部と、バインダー本体の外側面に配される背表紙を覆ってバインダー本体の外側面に配されて、表部板、裏部板の縁部に沿って折り返されて支持突部に係止されるカバーと、支持突部に係止したカバー上から支持突部に装着される固定体とから成ることを特徴とするメニューバインダー。
【請求項２】
表裏連結手段は、頭部に球体状の連結雄体を有して表部板、裏部板のいずれか一方の内側面に設けた棒体状の連結ピンと、連結雄体がやや強制的に挿入される凹部状の連結雌体を有して裏部板、表部板のいずれか他方の内側面に設けた筒体状の連結カップとから成り、連結ピンと連結カップとはバインダー本体を二つ折り状にしたときの相対する位置として表部板、裏部板に配されている請求項１に記載のメニューバインダー。
【請求項３】
綴込手段は、周囲に張り出し状に出張ることで形成されている綴込突部を頭部に有して、表部板、裏部板のいずれか一方の内側面に所定間隔毎に立脚状に形成されたピン状の綴込杆と、綴込突部が強制的に嵌め入れられて、表部板、裏部板相互を相対向させて綴込杆の上部を連結させるよう、裏部板、表部板のいずれか他方の内側面に所定間隔毎に配列された綴込孔とから成り、綴込杆と綴込孔とはバインダー本体を二つ折り状にしたときの相対する位置として表部板、裏部板に配されている請求項１または２に記載のメニューバインダー。
【発明の詳細な説明】
【技術分野】
【０００１】
本発明は、飲食店・レストランその他の飲食提供場所で提供される各種の献立を表示したメニュー用紙を綴じ合わせておくとき、それらのメニュー用紙の交換着脱を容易にし、また背表紙部位における例えば店名その他を表記している背表紙等の変更交換も簡単に行うことができ、しかも薄型構成でありながら多数葉のメニュー用紙を綴じ込み可能にしたメニューバインダーに関する。
【背景技術】
【０００２】
従来から、飲食店・レストランその他飲食提供場所においては、提供する飲食・料理品等の各種の献立を表示したメニュー表を用意しておき、そのメニュー表を来客者に提示することで注文を受けることが多く、提供する献立が多い場合には多数葉のメニュー用紙をメニューバインダーに綴じ合わせている。
【０００３】
このような綴じ合わせ式メニューバインダーは、例えば特許文献１乃至３に開示されている各種のメニューブックとして提案されている。特許文献１のメニューブックは、カバーにおける背表紙部の上下部に形成した差込部の内側それぞれに挟持部であるメニューピンを設け、このメニューピンの挟持片にメニューファイルを差し替え自在に挟持固定させる構成としている。特許文献２のメニューブックは、折り込み部を中心として折り込み可能なカバー部に綴じ具を固定し、この綴じ具に開閉自在なリング状の複数の綴じ環を起立配列させ、綴じ環に係合した袋状のファイル部にメニュー用紙を挿入するようにして成る。特許文献３のメニューブックは、表カバー部、裏カバー部、背カバー部から成る表紙部材に、表裏のカバー部相互間でこれらのカバー部によって固定される棒状の突起部、この突起部端に嵌り込む係止部材それぞれを配列すると共に、突起部に掛止支持した袋状の台紙部に献立用紙を交換自在に挿入して成る。
【先行技術文献】
【特許文献】
【０００４】
【特許文献１】特開２００５−１９９５８５号公報
【特許文献２】登録実用新案第３１１７２４７号公報
【特許文献２】特許第４９２１２０５号公報
【発明の概要】
【発明が解決しようとする課題】
【０００５】
ところが、これらの従来のメニューブックによると、特許文献１のものでは二つ折り状としたメニューファイルを挟み込むから、メニューファイルが多数になると、挟み込み力が弱くなり、使用中にそれらが脱落することがあり、特に、顧客が見るときに丁寧に取り扱わざるを得ないとすれば、極めて面倒である。特許文献２のものではメニュー用紙を挿入するファイル部が破損した場合に、リング環を開閉し、着脱する必要があり、またリング環に係合するファイル部における綴じ孔が破損し易く、その都度交換しなければならない。特許文献３のものでは、袋状の台紙部を掛止支持する棒状の突起部は、一方のカバー部に貫挿固定される別部材となっており、突起部端に係止する係止部材は他方のカバー部材に設けられていることで、互いに嵌め合うことによって台紙部を掛止支持しているから、これらの突起部、係止部材それぞれのカバー部に対する取り付けは製造する上では面倒である。
【０００６】
また、従来のメニューブックでは、綴じ込む献立表、メニュー用紙その他がそれほど多いといえるほどの枚数ではないために、綴じ込んだときのメニューブック自体の厚さも比較的に肉薄といえる程度であるため、背表紙に例えば店名その他を表示する余地が少なく、例えばこれを広告媒体として利用することもできなかった。
【０００７】
そこで本発明は上述したような従来存した諸事情に鑑み創出されたもので、その目的は、献立内容を記載した献立表・メニュー用紙等の交換・着脱が容易で季節料理の変更その他による献立内容の変更にも容易に対処でき、また、綴じ込むメニュー用紙等の増減にも容易に対応できると共に、所定幅員の背表紙を利用した広告媒体として利用も可能で、その広告媒体の変更その他による広告の有効利用をも可能である等のメニューバインダーを提供することにある。
【課題を解決するための手段】
【０００８】
上述した課題を解決するため、本発明にあっては、後述する発明を実施するための形態における使用符号を付記して説明すると、背面となる背部板１１を中央にして、表面となる表部板１２、裏面となる裏部板１３が両側に配されていると共に、背部板１１の両縁部に形成した折曲自在な折曲連繋部１４によって、背部板１１の幅員を隔てて二つ折り状に折り畳まれるようになっているバインダー本体１０と、二つ折り状にしたときの表部板１２、裏部板１３相互間を連結する表裏連結手段２０と、メニュー用紙Ｍを綴じ込み支持する綴込手段３０とを備えて成ることを特徴とする。
また、バインダー本体１０には、バインダー本体１０の外側面に配される背表紙Ｐを着脱・交換自在に収納する背表紙支持手段４０を設けることができる。
表裏連結手段２０は、頭部に球体状の連結雄体２２を有して表部板１２、裏部板１３のいずれか一方の内側面に設けた棒体状の連結ピン２１と、連結雄体２２がやや強制的に挿入される凹部状の連結雌体２４を有して裏部板１３、表部板１２のいずれか他方の内側面に設けた筒体状の連結カップ２３とから成り、連結ピン２１と連結カップ２３とはバインダー本体１０を二つ折り状にしたときの相対する位置として表部板１２、裏部板１３に配されて構成することができる。
綴込手段３０は、周囲に張り出し状に出張ることで形成されている綴込突部３２を頭部に有して、表部板１２、裏部板１３のいずれか一方の内側面に所定間隔毎に立脚状に形成されたピン状の綴込杆３１と、綴込突部３２が強制的に嵌め入れられて、表部板１２、裏部板１３相互を相対向させて綴込杆３１の上部を連結させるよう、裏部板１３、表部板１２のいずれか他方の内側面に所定間隔毎に配列された綴込孔３３とから成り、綴込杆３１と綴込孔３３とはバインダー本体１０を二つ折り状にしたときの相対する位置として表部板１２、裏部板１３に配されて構成することができる。
背表紙支持手段４０は、表部板１２、裏部板１３の内側面の縁部に沿って所定間隔で配列された突起状の支持突部４１と、バインダー本体１０の外側面に配される背表紙Ｐを覆ってバインダー本体１０の外側面に配されて、表部板１２、裏部板１３の縁部に沿って折り返されて支持突部４１に係止されるカバー４２と、支持突部４１に係止したカバー４２上から支持突部４１に装着される固定体４４とから構成することができる。
【０００９】
以上のように構成された本発明に係るメニューバインダーにあって、バインダー本体１０における綴込手段３０は、これの綴込杆３１に綴じ込み係止されたメニュー用紙Ｍを、綴込杆３１が綴込孔３３に嵌め入れられて、また表裏連結手段２０は、これの連結ピン２１が連結カップ２３に嵌め入れられて、バインダー本体１０自体が二つ折り状となることで、適数のメニュー用紙Ｍを綴じ合わせ、纏めさせて提供し得るようにさせる。
背表紙支持手段４０は、バインダー本体１０の背部板１１の外側面に配した背表紙Ｐをカバー４２によって保持させ、固定体４４の着脱によってカバー４２を交換可能にさせ、バインダー本体１０の体裁を種々に変化させ得る。
表裏連結手段２０における連結ピン２１と連結カップ２３との着脱、綴込手段３０における綴込杆３１と綴込孔３３との着脱によってバインダー本体１０の二つ折り状態の維持、あるいは展開状態の開放を可能にして、メニュー用紙Ｍの交換、着脱、移動その他によって、例えば飲食店において提供する献立の変更その他に対応させる。
【発明の効果】
【００１０】
本発明は以上説明したように構成されているため、例えば飲食店・レストランその他での飲食物等の提供に際し使用される献立表を、提供する献立内容を記載した献立表等の適数葉のメニュー用紙Ｍの交換・着脱が簡単で、例えば季節料理の変更その他による献立内容の変更にも容易に対処できる。また、綴じ込むメニュー用紙Ｍ等の増減にも容易に対応できると共に、交換できるようにした背表紙Ｐ、カバー４２等によって、これらを広告媒体としても利用可能とし、しかも広告媒体の変更その他による広告の有効利用を可能にする利点がある。
【００１１】
すなわちこれは本発明において、背部板１１、表部板１２、裏部板１３を折曲自在な折曲連繋部１４によって二つ折り状に折り畳まれるバインダー本体１０と、二つ折りしたときの表部板１２、裏部板１３相互間を連結する表裏連結手段２０と、メニュー用紙Ｍを綴じ込み支持する綴込手段３０とを備えて成ることとしたからであり、これによって、適数葉のメニュー用紙Ｍの綴じ込み保持、交換、着脱、移動、増減等を可能にし、献立変更にも対処可能にする。
【００１２】
また、バインダー本体１０に設けた背表紙支持手段４０は、バインダー本体１０の外側面に配される背表紙Ｐを着脱・交換自在に収納するようにしてあるから、例えば異なる献立内容を纏めて表示するときの表題を表示した種々の背表紙Ｐを、綴じ合わせが異なる組合せとなるメニュー用紙Ｍ等に対応させて簡単に変更調整できる。しかも、そのカバー４２は、支持突部４１、固定体４４との着脱によって取り外しもでき、また交換可能であるから、メニューバインダー自体の外観体裁を種々に変更でき、例えば店内の雰囲気に対応可能にする。
【００１３】
表裏連結手段２０は、頭部に球体状の連結雄体２２を有して設けた棒体状の連結ピン２１と、連結雄体２２がやや強制的に挿入される凹部状の連結雌体２４を有して設けた筒体状の連結カップ２３とから成るから、連結雄体２２、連結雌体２４相互のやや強制的な嵌め合い、引き剥がしが可能であり、特別な治具を要せずに手指のみによっても簡単に連結、離反できる等の取り扱いが容易である。
【００１４】
綴込手段３０は、周囲に張り出し状に出張ることで形成されている綴込突部３２を頭部に有して立脚状に形成されたピン状の綴込杆３１と、綴込突部３２が強制的に嵌め入れられて、表部板１２、裏部板１３相互を相対向させて綴込杆３１の上部を連結させる綴込孔３３とから成るから、綴込杆３１に綴じ込ませたメニュー用紙Ｍを、二つ折りさせた表部板１２、裏部板１３との間で確実に綴じ込み保持し、綴じ込んだメニュー用紙Ｍを離脱させることがない。
【００１５】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１６】
【図１】本発明を実施するための一形態を示す使用状態の斜視図である。
【図２】同じくバインダー本体を開放展開したときの分解斜視図である。
【図３】同じくバインダー本体の開放展開時の要部平面図である。
【図４】同じく図３における４−４線断面図である。
【図５】同じく図３における５−５線断面図である。
【図６】同じく図３における６−６線断面図である。
【図７】同じく他の使用状態の斜視図である。
【発明を実施するための形態】
【００１７】
以下、図面を参照して本発明を実施するための一形態を説明すると、図において示される符号１０は各種献立を掲載しているメニュー用紙Ｍを所定枚数で綴じ込むバインダー本体である。このバインダー本体１０は、背面となる背部板１１を中央にして、表面となって表側に配される表部板１２、裏面となって裏側に配される裏部板１３が両側に配されていると共に、背部板１１の両縁部で表面側（外側面）に形成された断面で例えば直角Ｖ字状の溝による折曲自在な折曲連繋部１４によって表部板１２、裏部板１３それぞれが相互に相対するように背部板１１に対して折曲されることで、背部板１１の幅員を隔てていわば二つ折り状に折り畳まれるようになっており、折り畳み時ではあたかもスティック状を呈する。
【００１８】
このバインダー本体１０は、メニュー用紙Ｍの大きさにほぼ対応しており、例えばＡ４版の大きさのメニュー用紙Ｍを綴じ合わせられるように、例えば長さが３１５ｍｍ、全体幅員が５０ｍｍ程度とし、背部板１１の幅員は８ｍｍ、表部板１２、裏部板１３それぞれの幅員が２０ｍｍ程度としてあり、それぞれが所定肉厚の帯状を呈していて折曲連繋部１４によって隣接状に連繋一体にして形成してある。もとより、これらの大きさ寸法は、メニュー用紙Ｍの大きさ、綴じ厚、支持幅等によって変更可能であるのは勿論である。
【００１９】
尚、折曲連繋部１４は、背部板１１の両側部で、バインダー本体１０の外側面、あるいは内側面において、断面でほぼ直角Ｖ字状の溝を形成し、その溝の奥底部における部位として設けられる。そして、繰り返されるバインダー本体１０の二つ折りの閉塞、あるいは展開する開放の操作によっても折損、離反しない強度を備えるよう合成樹脂素材によってバインダー本体１０は一体形成されている。
【００２０】
また、この折曲連繋部１４は、場合によっては背部板１１の裏面側すなわち内側面に断面でＶ字状の溝として形成されても良く、こうすることで折り畳まれたときでは背部板１１に対する表部板１２、裏部板１３それぞれの連続部位ではほぼ直角状を呈する。
【００２１】
このバインダー本体１０には、二つ折り状にしたときの表部板１２、裏部板１３相互間を連結する表裏連結手段２０、メニュー用紙Ｍを綴じ込み支持する綴込手段３０、バインダー本体１０の外側面に配される背表紙Ｐを着脱・交換自在に収納する背表紙支持手段４０それぞれが設けられている。
【００２２】
表裏連結手段２０は、図３、図４に示すように、頭部に球体状の連結雄体２２を有して表部板１２、裏部板１３のいずれか一方の内側面における、例えば上下部端部位に設けた棒体状の連結ピン２１と、連結雄体２２がやや強制的に挿入される凹部状の連結雌体２４を有して裏部板１３、表部板１２のいずれか他方の内側面に設けた筒体状の連結カップ２３とから成り、バインダー本体１０を二つ折り状にしたときに連結ピン２１と連結カップ２３とは相対する位置として表部板１２、裏部板１３に配されている。
【００２３】
この表裏連結手段２０においての連結雌体２４は、連結雄体２２の外径とほぼ同径の内径を有すると共に、その開口端は連結雄体２２の外径に比しやや小さい内径となって窄まり状に形成されていて、外部に連通された適数の割溝２５が開口端から周壁に設けられている。こうすることで、バインダー本体１０自体を二つ折り状にしたとき、連結雄体２２が連結雌体２４を押し拡げるようにして連結雌体２４内に嵌り込むことで表部板１２、裏部板１３相互をワンタッチ的に連結するものとなり、また、逆に強制的にでも引き剥がすように表部板１２、裏部板１３相互を開放することで連結を解除できるものとしてある（図４参照）。
【００２４】
綴込手段３０は、図３、図５に示すように、周囲に張り出し状に出張ることで形成されている綴込突部３２を頭部に有して、表部板１２、裏部板１３のいずれか一方の内側面に所定間隔毎に立脚状に形成されたピン状の綴込杆３１と、綴込突部３２が強制的に嵌め入れられて、表部板１２、裏部板１３相互を相対向させて綴込杆の上部を連結させるよう、裏部板１３、表部板１２のいずれか他方の内側面に所定間隔毎に配列された綴込孔３３とから成り、バインダー本体１０を二つ折り状にしたときに綴込杆３１と綴込孔３３とは相対する位置として表部板１２、裏部板１３に配されている。
【００２５】
この綴込手段３０における綴込杆３１は、綴じ込まれるメニュー用紙Ｍにおける綴じ孔（ファイル孔）と、その位置、間隔、大きさ（綴込杆３１の外径／綴じ孔の内径）等が対応しており、綴込杆３１によって適数のメニュー用紙Ｍを綴じ込み支持できるようにしている。
【００２６】
また、綴込手段３０の綴込突部３２は、綴込杆３１自体の上部を、この上部周囲に形成した段部から上端に至るに伴い次第に大径となるよう逆錐体状にすることで形成されており、また綴込突部３２の上端における外径は綴込孔３３の内径に比しやや大径としてある。こうすることで、綴込突部３２を綴込孔３３に強制的に嵌め入れるよう、バインダー本体１０を二つ折り状にすることで、綴じ込んだメニュー用紙Ｍを離脱させることなく支持でき、逆に強制的にでも引き剥がすように表部板１２、裏部板１３相互を開放することで綴じ込みを解除できるものとしてある（図５参照）。
【００２７】
尚、図示例における綴込孔３３は、表部板１２あるいは裏部板１３に貫通形成されているも、綴込突部３２がしっくりと嵌り込み、強制的な解除作用で離脱しなければ、貫通状とせずに窪み状に形成しても差し障りはなく、また、その表裏面で形状、大きさが異なっていても良い。。
【００２８】
背表紙支持手段４０は、図３、図６に示すように、表部板１２、裏部板１３の内側面の縁部に沿って所定間隔で配列された突起状の支持突部４１と、バインダー本体１０の外側面に配される背表紙Ｐを覆ってバインダー本体１０の外側面に配されて、表部板１２、裏部板１３の縁部に沿って折り返されて支持突部４１に係止されるカバー４２と、支持突部４１に係止したカバー４２上から支持突部４１に装着される固定体４４とから成る。尚、背表紙Ｐは、バインダー本体１０の背部板１１の外側面のみに配される狭幅状で断面で一文字状を呈するのみならず、表部板１２、裏部板１３の外側面にも配されるように広幅状で断面でコ字状に折曲されるように形成されることもある。
【００２９】
この背表紙支持手段４０の支持突部４１は、表部板１２、裏部板１３の内側面に、その上部から下部に至るまでに等間隔例えば８０ｍｍ程度の間隔で配列された小突起状に形成されており、後述するように固定体４４の裏面に配列形成される固定穴４５と位置、間隔等が対応していると共に、支持突部４１の外径は固定穴４５の内径に比し僅かに大きく形成することで、強制的に嵌め合わせられるようにしてある。
【００３０】
カバー４２は、例えば所定肉厚の透明な合成樹脂シートにて形成されており、このカバー４２と背部板１１との間で挿入された、所定内容が掲載表示されている背表紙Ｐを外方から視認できるようにして保持している。このカバー４２自体は、支持突部４１に係止するための係止孔４３が、支持突部４１位置に対応させて縁部に配列開穿されていて、二つ折りされるバインダー本体１０の背部板１１にぴったりと当接して背表紙Ｐを保持するようにしている。
【００３１】
固定体４４は、例えば図例のように断面で半球状を呈する細幅バー状に形成されており、裏面である平坦面に、支持突部４１に嵌め合う固定穴４５を穿設形成してある。この固定体４４は、バインダー本体１０の外側面を覆い、縁部が表部板１２、裏部板１３の縁部で折り返されてバインダー本体１０の内側面に当接する縁部分における前記係止孔４３が支持突部４１に係止された後、そのカバー４２の上面から固定穴４５にて支持突部４１に嵌め合わせることで、カバー４２を固定支持するものとしてある。図示にあって、支持突部４１、係止孔４３、固定穴４５は、その位置を対応させて例えば約７０ｍｍ間隔で計５個ずつで設けてあるが、これに限定されないのは勿論である。
【００３２】
一方、メニュー用紙Ｍは、献立内容が掲載されている例えば紙片をラミネート被覆することで形成されたり、同様に紙片を交換可能に収納する袋として形成されたりするのであり、その表示態様、連綴態様等は特に限定されず、要は献立内容が掲載表示されている各種態様の献立表示資材として、この献立表示資材に開穿された綴じ孔によって綴込手段３０に綴じ込まれれば足りる。
【００３３】
次にこれの使用の一例を説明すると、所定の献立内容が掲載表示されているメニュー用紙Ｍをその綴じ孔によって綴込手段３０の綴込杆３１に所定枚数で綴じ合わせ、表部板１２、裏部板１３が相対するように背部板１１との連続部位でバインダー本体１０自体を二つ折り状に折り畳むのであり、折り畳むときに綴込手段３０における綴込杆３１を綴込孔３３に嵌め入れ、表裏連結手段２０における連結ピン２１を連結カップ２３に嵌め入れればよい。また、綴じ込むに際し、必要に応じ、店舗名その他を表示掲載した表裏の表紙をも同時に綴じ込めばよい。
【００３４】
メニュー用紙Ｍの交換、変更時では、表裏連結手段２０における連結ピン２１と連結カップ２３との解離、綴込手段３０における綴込杆３１と綴込孔３３との脱離それぞれによって表部板１２、裏部板１３相互を展開開放し、綴込杆３１からメニュー用紙Ｍを取り外したり、新たなメニュー用紙Ｍを綴じ込んだりすれば良い。
【００３５】
一方、バインダー本体１０における背部板１１外側面に、背表紙支持手段４０によって保持される背表紙Ｐをカバー４２との間で挿入保持させ、背表紙Ｐによって例えばメニュー表であること等を表示すればよい。
【００３６】
背表紙支持手段４０では、例えばそのカバー４２を透視性ある各種の色彩にて着色されたものと交換することもでき、固定体４４の着脱によるカバー４２の交換によって外観体裁を適宜に変更できる。
【００３７】
尚、この背表紙支持手段４０によらずに、図７に示すように、背部板１１の外側面に、所定の表示を直接に、例えば背部板１１に直接に印字したり、書いたり、ラベル等を貼付したり等によって形成することでカバー４２を含む背表紙支持手段４０を設けることなく使用することも可能である。
【符号の説明】
【００３８】
Ｍ…メニュー用紙                        Ｐ…背表紙
１０…バインダー本体                    １１…背部板
１２…表部板                            １３…裏部板
１４…折曲連繋部
２０…表裏連結手段                      ２１…連結ピン
２２…連結雄体                          ２３…連結カップ
２４…連結雌体
３０…綴込手段                          ３１…綴込杆
３２…綴込突部                          ３３…綴込孔
４０…背表紙支持手段                    ４１…支持突部
４２…カバー                            ４３…係止孔
４４…固定体                            ４５…固定穴
【図１】
0005595536.tif 000002
【図２】
0005595536.tif 000003
【図３】
0005595536.tif 000004
【図４】
0005595536.tif 000005
【図５】
0005595536.tif 000006
【図６】
0005595536.tif 000007
【図７】
0005595536.tif 000008